(57)【要約】      （修正有）【課題】クレセント錠を召合せ框に容易に固定することができる引き違いサッシを提供する。【解決手段】枠体と、枠体の内部に設けられた内障子および外障子と、を有する引き違いサッシにおいて、内障子は、枠状に形成された框（第１框）３と、框３の内側に配置されるガラス（第１面材）と、有し、框３は、上下方向に延びる樹脂製の第１召合せ框７Ａと、上下方向に延びて第１召合せ框７Ａに形成された第１中空部７ｃに挿入配置される金属製の第１框芯材３１Ａと、を有し、第１中空部７ｃは、第１召合せ框７Ａにおけるガラスと離間する側に形成され、第１框芯材３１Ａは、断面形状が室外側に開口するＣ字形に形成されている。【選択図】図２
2020041264.tif 000002
【特許請求の範囲】
【請求項１】
枠体と、前記枠体の内部に設けられた外障子と、前記外障子の室内側に配置される内障子と、を有する引き違いサッシにおいて、
前記内障子は、枠状に形成された第１框と、前記第１框の内側に配置される第１面材と、有し、
前記第１框は、上下方向に延びる樹脂製の第１召合せ框と、
上下方向に延びて前記第１召合せ框に形成された第１中空部に挿入配置される金属製の第１框芯材と、を有し、
前記第１框芯材は、断面形状が室外側に開口するＣ字形に形成されていることを特徴とする引き違いサッシ。
【請求項２】
前記第１框芯材は、前記第１召合せ框における前記第１中空部を形成する面のうち前記第１中空部の室内側に位置する第１室内側面に沿って配置されて左右方向に延びる第１片と、
前記第１片の左右方向の両端部のうち前記第１面材から遠い側の端部から室外側に延びる第２片と、
前記第１片の左右方向の両端部のうち前記第１面材に近い側の端部から室外側に延びる第３片と、を有し、
前記第２片の室外側の端部近傍には、クレセント錠が固定される請求項１に記載の引き違いサッシ。
【請求項３】
前記内障子は、前記面材の室内側に設けられる押し縁を有し、
前記第１召合せ框は、前記第１面材の端面と対向する第１面材対向部と、
前記第１面材対向部の室内側に連続して設けられ前記押し縁が嵌合する押し縁係止部と、を有し、
前記押し縁係止部は、前記第１中空部に向かって突出するように設けられている請求項１又は２に記載の引き違いサッシ。
【請求項４】
前記第１框芯材には、前記押し縁係止部に沿って屈曲する屈曲部が形成されている請求項３に記載の引き違いサッシ。
【請求項５】
前記外障子は、枠状に形成された第２框と、前記第２框の内側に配置される第２面材と、有し、
前記第２框は、上下方向に延びる樹脂製の第２召合せ框と、
上下方向に延びて前記第２召合せ框に形成された第２中空部に挿入配置される金属製の第２框芯材と、を有し、
前記第２框芯材は、前記第２召合せ框における前記第２中空部を形成する面のうち前記第２中空部の室外側に位置する室外側面に沿って配置されて左右方向に延びる第４片と、
前記第２召合せ框における前記第２中空部を形成する面のうち前記第２中空部の室内側に位置する第２室内側面に沿って配置されて左右方向に延びる第５片と、
室内外方向に延びて前記第４片と前記第５片とを連結する第６片と、を有し、
前記第５片には、クレセント錠の受け金具が固定される請求項１乃至４のいずれか一項に記載の引き違いサッシ。
【発明の詳細な説明】
【技術分野】
【０００１】
本発明は、引き違いサッシに関する。
【背景技術】
【０００２】
従来、樹脂サッシの引き違いサッシでは、障子の樹脂製の框（上框、下框、召合せ框および戸先框）は、それぞれ同一の断面形状に形成されている。このため、上框、下框および戸先框においてレールが挿入される溝部が召合せ框にも形成されている。また、召合せ框に設けられる煙返しなどは、召合せ框に別部材として取り付けられている。
樹脂製の框には、内部に芯材が挿入配置されるため、長さ方向全体にわたって芯材が配置される中空部が形成されている。引き違いサッシにクレセント錠を設ける場合、内障子の召合せ框にクレセント錠が取り付けられ、外障子の召合せ框にクレセント錠を受ける受け金具が取り付けられている。樹脂サッシの場合、クレセント錠を芯材に固定することが好ましいが、芯材が配置される中空部が召合せ框の平面視における中央部分に配置されていてクレセント錠と芯材とが離れてしまうと、クレセント錠を芯材に固定することが困難である。このため、召合せ框に芯材とは別に裏板を設け、この裏板にクレセント錠を固定している（例えば、特許文献１参照）。
【先行技術文献】
【特許文献】
【０００３】
【特許文献１】特許第６０１７３００号公報
【発明の概要】
【発明が解決しようとする課題】
【０００４】
しかしながら、裏板を設ける場合、部品点数が多くなるとともに、裏板の位置合わせなど設置に手間がかかるという問題がある。
【０００５】
そこで、本発明は、クレセント錠を召合せ框に容易に固定することができる引き違いサッシを提供することを目的とする。
【課題を解決するための手段】
【０００６】
上記目的を達成するため、本発明に係る引き違いサッシは、枠体と、前記枠体の内部に設けられた外障子と、前記外障子の室内側に配置される内障子と、を有する引き違いサッシにおいて、前記内障子は、枠状に形成された第１框と、前記第１框の内側に配置される第１面材と、有し、前記第１框は、上下方向に延びる樹脂製の第１召合せ框と、上下方向に延びて前記第１召合せ框に形成された第１中空部に挿入配置される金属製の第１框芯材と、を有し、前記第１框芯材は、断面形状が室外側に開口するＣ字形に形成されていることを特徴とする。
【０００７】
本発明では、第１框芯材は、断面形状が室外側に開口するＣ字形に形成されていることにより、第１框芯材の一部が第１召合せ框における第１面材と離間する側に配置されるため、第１召合せ框における第１面材と離間する側にクレセント錠を設ける場合に、クレセント錠を第１框芯材に固定することができる。
【０００８】
また、本発明に係る引き違いサッシでは、前記第１框芯材は、前記第１召合せ框における前記第１中空部を形成する面のうち前記第１中空部の室内側に位置する第１室内側面に沿って配置されて左右方向に延びる第１片と、前記第１片の左右方向の両端部のうち前記第１面材から遠い側の端部から室外側に延びる第２片と、前記第１片の左右方向の両端部のうち前記第１面材に近い側の端部から室外側に延びる第３片と、を有し、前記第２片の室外側の端部近傍には、クレセント錠が固定されていてもよい。
このような構成とすることにより、クレセント錠を裏板などを用いずに、第１框芯材の室外側の端部近傍に容易に固定することができる。
【０００９】
また、本発明に係る引き違いサッシでは、前記内障子は、前記面材の室内側に設けられる押し縁を有し、前記第１召合せ框は、前記第１面材の端面と対向する第１面材対向部と、前記第１面材対向部の室内側に連続して設けられ前記押し縁が嵌合する押し縁係止部と、を有し、前記押し縁係止部は、前記第１中空部に向かって突出するように設けられていてもよい。
このような構成とすることにより、押し縁係止部よりも室外側に第１框芯材を配置することができる。また、押し縁が面材の室内側に設けられていることにより、第１召合せ框の室外側に気密を確保するための部材を設けることができ、気密性を高めることができる。
押し縁係止部とは、押し縁が嵌合する部分（例えば溝部や開口部など）のみでなく、押し縁が嵌合する部分を形成する部材も合わせた部分を示している。
【００１０】
また、本発明に係る引き違いサッシでは、前記第１框芯材には、前記押し縁係止部に沿って屈曲する屈曲部が形成されていてもよい。
このような構成とすることにより第１框芯材の強度を向上させることができる。
【００１１】
また、本発明に係る引き違いサッシでは、前記外障子は、枠状に形成された第２框と、前記第２框の内側に配置される第２面材と、有し、前記第２框は、上下方向に延びる樹脂製の第２召合せ框と、上下方向に延びて前記第２召合せ框に形成された第２中空部に挿入配置される金属製の第２框芯材と、を有し、前記第２框芯材は、前記第２召合せ框における前記第２中空部を形成する面のうち前記第２中空部の室外側に位置する室外側面に沿って配置されて左右方向に延びる第４片と、前記第２召合せ框における前記第２中空部を形成する面のうち前記第２中空部の室内側に位置する第２室内側面に沿って配置されて左右方向に延びる第５片と、室内外方向に延びて前記第４片と前記第５片とを連結する第６片と、を有し、前記第５片には、クレセント錠の受け金具が固定されていてもよい。
このような構成とすることにより、クレセント錠の受け金具を裏板などを用いずに第２框芯材に容易に固定することができる。
【発明の効果】
【００１２】
本発明によれば、クレセント錠を召合せ框に容易に固定することができる。
【図面の簡単な説明】
【００１３】
【図１】本発明の実施形態による引き違いサッシの一例を示す正面図である。
【図２】図１のＡ−Ａ線断面図である。
【図３】本発明の実施形態による引き違いサッシの内障子の召合せ框および外障子の召合せ框の変形例を示す水平断面図である。
【発明を実施するための形態】
【００１４】
以下、本発明の実施形態による引き違いサッシについて、図１および図２に基づいて説明する。
図１に示すように、本実施形態による引き違いサッシ１０は、建物の外壁に形成された開口部に沿って取り付けられた枠体１２と、枠体１２に支持され左右方向にスライド可能な内障子１および外障子２と、を有している。
以下の説明において、室外側と室内側とを結ぶ方向（外壁に直交する方向、図１では紙面に直交する方向）を室内外方向とし、室内外方向に直交する外壁に沿った水平方向を左右方向とする。左右方向のうち、室内側から室外側を見た際の左側、右側をそのまま左側、右側とする。
【００１５】
図１に示すように、枠体１２は、左右方向に延びる上枠１２１および下枠１２２と、上下方向に延びて上枠１２１および下枠１２２と連結された一対の縦枠１２３と、を有している。以下の説明では、上枠１２１、下枠１２２および一対の縦枠１２３などの長尺の部材に対してそれぞれが延びる方向を長さ方向とすることがある。
上枠１２１、下枠１２２および一対の縦枠１２３は、それぞれ合成樹脂製で、内部に形成されそれぞれの長さ方向に延びる中空部に金属製の枠芯材が挿入配置されている。
【００１６】
内障子１および外障子２は、それぞれ枠状に形成された框（第１框、第２框）３と、框３の内側に配置されるガラス（第１面材、第２面材）４と、有している。
框３は、左右方向に延びる上框５および下框６と、上下方向に延びる召合せ框７および戸先框８と、を有している。
召合せ框７は、内障子１および外障子２が開口部を閉鎖している状態で一対の縦枠１２３の間の略中央部に配置され、戸先框８は、内障子１および外障子２が開口部を閉鎖している状態で一対の縦枠１２３に近接して配置されている。
【００１７】
上框５、下框６、召合せ框７および戸先框８は、それぞれの長さ方向の両端面がそれぞれ斜め４５°に切断されている。
召合せ框７は、上框５および下框６と互いの端面を突き合わせて９０°を成すように溶着されている。図１に示すように、戸先框８は、上框５および下框６と互いの端面を突き合わせて９０°を成すように溶着されている。召合せ框７の内部には、中空部（第１中空部７ｃ、第２中空部７ｆ、図２参照）が形成されていて、中空部７ｃ、７ｆには、框芯材３１が挿入配置される。
【００１８】
框芯材３１は、上框５、下框６、召合せ框Ａおよび戸先框８よりも若干短く形成されている。框芯材３１は、上框５、下框６、召合せ框７および戸先框８の長さ方向の両端部それぞれから長さ方向の外側に突出しないように配置されている。
内障子１および外障子２の上框５、下框６および戸先框８は公知の構造として説明を省略し、内障子１および外障子２の召合せ框について説明する。内障子１の召合せ框７を第１召合せ框７Ａとし、外障子２の召合せ框を第２召合せ框７Ｂとする。内障子１の框芯材３１を第１框芯材３１Ａとし、外障子２の框芯材３１を第２框芯材３１Ｂとする。
【００１９】
図２に示すように、第１召合せ框７Ａは、室外側に設けられる第１室外側板部７１と、第１室外側板部７１の右側部分の室内側に間隔をあけて設けられる第２室外側板部７２と、第１室外側板部７１の右側の端面と第２室外側板部７２の右側を連結する室外内板部７３と、室内側に設けられる室内側板部７４と、第１室外側板部７１と室内側板部７４を連結する外板部７５と、第２室外側板部７２と室内側板部７４とを連結する内板部７６と、第１室外側板部７１の室外側に一体に設けられた煙返し部７７Ａと、を有している。
【００２０】
第１室外側板部７１は、平板状に形成され、板面が室内外方向を向く鉛直面となる姿勢で配置されている。第１室外側板部７１は、上框第２室内側板部５７および下框６第２室内側板部の第１室外側板部よりも左右方向の寸法が短く形成されている。
【００２１】
第２室外側板部７２は、平板状に形成され、板面が室内外方向を向く鉛直面となる姿勢で配置されている。第２室外側板部７２は、第１室外側板部７１よりも左右方向の寸法が小さく形成されていて、右側の端部が第１室外側板部７１の右側の端部と室内外方向に重なりで、左側の端部が第１室外側板部７１の左側の端部よりも右側に配置されている。
室外内板部７３は、第１室外側板部７１の右側の端部から室内側に延びて、第２室外側板部７２の右側の端部に達している。
【００２２】
室内側板部７４は、平板状に形成され、板面が室内外方向を向く鉛直面となる姿勢で配置されている。室内側板部７４は、第１室外側板部７１よりも左右方向の寸法が小さく形成されていて、左側の端部が第１室外側板部７１の左側の端部と室内外方向に重なりで、右側の端部が第１室外側板部７１の右側の端部よりも左側で、第２室外側板部７２の左側の端部と室内外方向に重なる位置に配置されている。室内側板部７４は、上框第２室内側板部５７および下框６第２室内側板部よりも左右方向の寸法が短く形成されている。
【００２３】
外板部７５は、平板状に形成され板面が左右方向を向く姿勢で配置されている。第１室外側板部７１の左側の端部と室内側板部７４の左側の端部とを連結している。
内板部７６は、第２室外側板部７２の左側の端部と、第１室外側板部７１における右側の端部よりもやや左側の位置と、を連結している。内板部７６は、第２室外側板部７２の右側の端部から室内側に延びる第１板部（第１面材対向部）７６１と、第１板部７６１の室内側の端部から左側に延びる第２板部７６２と、第２板部７６２の左側の端部から室内側に延びて室内側板部７４と連結される第３板部７６３と、を有している。第１板部７６１の室内側の端部は、室内側板部７４よりも間隔をあけた室外側に配置されている。第１板部７６１の右側には、内障子１のガラス４（図１参照）が配置され、第１板部７６１の右側の面は、内障子１のガラス４の左側の端面と対向している。
【００２４】
煙返し部７７Ａは、第１室外側板部７１の左側の端部から室外側に延びる第１見込み板部７７１と、第１室外側板部７１の左右方向の中間部から室外側に延びる第２見込み板部７７２と、第１見込み板部７７１の室外側の端部と第２見込み板部７７２の室外側の端部とを連結する第１見付板部７７３と、第２見込み板部７７２の室外側の端部から室外側に突出しさらに右側に延びる第１ヒレ部７７４と、を有している。
【００２５】
第１召合せ框７Ａには、第２板部７６２、第３板部７６３および第１室外側板部７１の第３板部７６３よりも右側の部分に囲まれて右側に開口する凹部７ａが形成されている。この凹部７ａにはガラス４を抑える押し縁４１が嵌合するように構成されている。
押し縁４１が嵌合する凹部７ａを形成する第２板部７６２、第３板部７６３および第１室外側板部７１の右側の部分を合わせて押し縁係止部７ｅとする。
【００２６】
第１召合せ框７Ａには、第１室外側板部７１、外板部７５、室内側板部７４、内板部７６、第２室外側板部７２、室外内板部７３に囲まれた第１中空部７ｃが形成されている。
第１中空部７ｃには、第１框芯材３１Ａが挿入される。
押し縁係止部７ｅは、第１中空部７ｃに突出するように設けられている。具体的には、押し縁係止部７ｅの第２板部７６２および第３板部７６３が第１中空部７ｃに突出している。
第１召合せ框７Ａには、第１室外側板部７１、第１見込み板部７７１、第２見込み板部７７２および第１見付板部７７３に囲まれた中空部７ｄが形成されている。
【００２７】
第１框芯材３１Ａは、第１中空部７ｃにおいて室内側板部７４に沿って配置される第１片３１１と、外板部７５に沿って配置される第２片３１２と、内板部７６に沿って配置される第３片３１３と、を有している。
第１片３１１は、板面が室内外方向を向く鉛直面となっている。第１片３１１は、室内側板部７４の室外側の面７４ａと当接または僅かな隙間をあけて対向している。
第１召合せ框７Ａにおける室内側板部７４の室外側の面７４ａは、本発明における「第１召合せ框における第１中空部を形成する面のうち第１中空部の室内側に位置する第１室内側面」に相当している。
第２片３１２は、第１片３１１の左側の端部から室外側に延びていて、板面が左右方向を向く鉛直面となっている。第２片３１２は、外板部７５の右側の面（第１中空部７ｃ側の面）と当接または僅かな隙間をあけて近接している。第２片３１２の室外側の端部は、第１室外側板部７１に達している、または僅かな隙間をあけて近接している。
【００２８】
第３片３１３は、第１片３１１の右側の縁部から室外側に延びる第１板部３１３ａと、第１板部の室外側の端部から右側に延びる第２板部３１３ｂと、第２板部の右側の端部から室外側に延びる第３板部３１３ｃと、を有している。第１板部３１３ａは、内板部７６の第３板部７６３に沿って配置され、第２板部３１３ｂは内板部７６の第２板部７６２に沿って配置され、第３板部３１３ｃは、内板部７６の第１板部７６１に沿って配置されている。
第１板部３１３ａと第２板部３１３ｂとの接続部分には、内板部７６の第３板部７６３と第２板部７６２との接続部分に沿った屈曲部３２が形成されている。
第３板部３１３ｃは、内板部７６の面の左側の面（第１中空部７ｃ側の面）と当接または僅かな隙間をあけて近接している。
第３板部３１３ｃの室外側の端部は、第１室外側板部７１に達している、または僅かな隙間をあけて近接している。
【００２９】
第１召合せ框７Ａには、外板部７５の右側にクレセント錠９１が取り付けられている。クレセント錠９１は、ネジなどのクレセント錠固定具９２によって第１框芯材３１Ａの第２片３１２に固定されている。クレセント錠固定具９２は、外板部７５と貫通し、第１框芯材３１Ａの第２片３１２の室外側の端部近傍に固定されている。
【００３０】
第２召合せ框７Ｂは、煙返し部７７Ｂが第１召合せ框７Ａの煙返し部７７Ａと異なり、煙返し部７７Ｂ以外は、第１召合せ框を左右反転とした形状とほぼ同一に形成されている。第２召合せ框７Ｂにおける第１室外側板部７１、外板部７５、室内側板部７４、内板部７６、第２室外側板部７２、室外内板部７３に囲まれた中空部を、第２中空部７ｆとする。
第２召合せ框７Ｂの煙返し部７７Ｂは、室内側板部７４の右側の端部から室内側に延びる第３見込み板部７７５と、室内側板部７４の左右方向の中間部から室内側に延びる第４見込み板部７７６と、第３見込み板部７７５の室内側の端部よりもやや室外側と、第４見込み板部７７６の室内側の端部よりもやや室外側とを連結する第２見付板部７７７と、第４見込み板部７７６の室内側の端部から右側に延びる第２ヒレ部７７８と、を有している。
第３見込み板部７７５の室内側の端部は、左側に屈曲している。第４見込み板部７７６の室内側の端部は、右側に屈曲している。第３見込み板部７７５の室内側の端部と第４見込み板部７７６の室内側の端部とは左右方向に離間していて、第３見込み板部７７５の室内側の端部分と第４見込み板部７７６の室内側の端部分との間にはパッキン９３が取り付けられている。パッキン９３は、第３見込み板部７７５の室内側の端部および第４見込み板部７７６の室内側の端部よりも室内側に突出していて、第１召合せ框７Ａの第１室外側板部７１の室外側の面と当接するように構成されている。
【００３１】
第２框芯材３１Ｂは、筒状に形成されている。第２框芯材３１Ｂは、第２中空部７ｆにおいて第１室外側板部７１に沿って配置される第４片３１４と、室内側板部７４に沿って配置される第５片３１５と、内板部７６に沿って配置される第６片３１６と、外板部７５に沿って配置される第７片（第６片）３１７と、を有している。
【００３２】
第４片３１４は、板面が室内外方向を向く鉛直面となっている。第４片３１４は、第１室外側板部７１の室内側の面７１ａと当接または僅かな隙間をあけて対向している。第４片３１４は、右側の端部が外板部７５と当接または僅かな隙間をあけて対向している。第４片３１４は、左側の端部が内板部７６と当接または僅かな隙間をあけて対向している。
第２框芯材３１Ｂにおける第１室外側板部７１の室内側の面７１ａは、本発明における「第２召合せ框における第２中空部を形成する面のうち第２中空部の室外側に位置する室外側面」に相当している。
【００３３】
第５片３１５は、板面が室内外方向を向く鉛直面で、第４片３１４と対向して配置されている。第５片３１５は、室内側板部７４の室外側の面７４ａと当接または僅かな隙間をあけて対向している。第５片３１５は、右側の端部が外板部７５と当接または僅かな隙間をあけて対向している。第５片３１５は、左側の端部が内板部７６の第３板部７６３と当接または僅かな隙間をあけて対向している。
第２框芯材３１Ｂにおける室内側板部７４の室外側の面７４ａは、本発明における「第２召合せ框における第２中空部を形成する面のうち第２中空部の室内側に位置する第２室内側面」に相当している。
【００３４】
第６片３１６は、第４片３１４の左側の端部と、第５片３１５の左側の端部とを連結している。第４片３１４の左側の端部から室外側に延びる第１板部３１６ａと、第１板部３１６ａの室外側の端部から左側に延びる第２板部３１６ｂと、第２板部３１６ｂの左側の端部から室外側に延びる第３板部３１６ｃと、を有している。第１板部３１６ａは内板部７６の第３板部７６３に沿って配置され、第２板部３１６ｂは内板部７６の第２板部７６２に沿って配置され、第３板部３１６ｃは内板部７６の第１板部７６１に沿って配置されている。
第７片３１７は、第４片３１４の右側の端部と、第５片３１５の右側の端部とを連結している。第７片３１７は、外板部７５の左側の面と当接または僅かな隙間をあけて対向している。
【００３５】
第２召合せ框７Ｂには、室内側板部７４の室内側にクレセント錠９１の受け金具９４が取り付けられている。受け金具９４は、ネジなどの受け金具固定具９５によって第２框芯材３１Ｂの第５片３１５に固定されている。受け金具固定具９５は、室内側板部７４を貫通し、第５片３１５の左右方向の中間部に固定されている。
【００３６】
内障子１および外障子２が開口部を閉鎖した状態となると、第１召合せ框７Ａの室外側に第２召合せ框７Ｂが重なって配置される、第１召合せ框７Ａの煙返し部７７Ａが、第２召合せ框の煙返し部７７Ｂの左側に配置されている。
【００３７】
次に、上述した本実施形態による引き違いサッシの作用・効果について図面を用いて説明する。
【００３８】
上述した本実施形態による引き違いサッシ１０では、第１召合せ框７Ａの第１中空部７ｃは、第１召合せ框７Ａにおける左側（ガラス４と離間する側）に形成され、第１框芯材３１Ａは、断面形状が室外側に開口するＣ字形に形成されていることにより、第１框芯材３１Ａが第１召合せ框７Ａにおける左寄り（ガラス４と離間する側）に配置されるため、第１召合せ框７Ａの左側にクレセント錠９１を設ける場合に、クレセント錠９１を固定するためのクレセント錠固定具９２を第１框芯材３１Ａに固定することができる。
また、第１框芯材３１Ａの第２片３１２の室外側の端部近傍にクレセント錠固定具９２が固定されていることにより、クレセント錠固定具９２を裏板などを用いずに、第１框芯材３１Ａの室外側の端部近傍に容易に固定することができる。
【００３９】
また、第１召合せ框７Ａの押し縁係止部７ｅは、第１中空部７ｃに突出するように設けられていることにより、押し縁係止部７ｅよりも室外側に第１框芯材３１Ａを配置することができる。また、押し縁がガラス４の室内側に設けられることにより、第１召合せ框７Ａの室外側にパッキン９３などの気密を確保するための部材を設けることができ、気密性を高めることができる。
【００４０】
また、第１框芯材３１Ａには、押し縁係止部７ｅの第３板部７６３と第２板部７６２との接続部分に沿った屈曲部３２が形成されていることにより第１框芯材３１Ａの強度を向上させることができる。
また、第２框芯材３１Ｂは、第２召合せ框７Ｂの第２中空部７ｆの室外側に配置されて左右方向に延びる第４片３１４と、第２中空部７ｆの室内側に配置されて左右方向に延びる第５片３１５と、室内外方向に延びて第４片３１４と第５片３１５とを連結する第６片３１６および第７片３１７と、を有し、第５片３１５には、クレセント錠９１の受け金具９４を固定するための受け金具固定具９５が固定されている。
このような構成とすることにより、受け金具固定具９５を裏板などを用いずに第２框芯材３１Ｂに容易に固定することができる。
【００４１】
以上、本発明による引き違いサッシの実施形態について説明したが、本発明は上記の実施形態に限定されるものではなく、その趣旨を逸脱しない範囲で適宜変更可能である。
例えば、上記の実施形態では、クレセント錠固定具９２は、第１框芯材３１Ａの第２片３１２の室外側の端部近傍に固定されているが、クレセント錠固定具９２が第１框芯材３１Ａに対して固定される位置は適宜設定されてよい。
また、上記の実施形態では、第１召合せ框７Ａの押し縁係止部７ｅは、第１中空部７ｃに突出するように設けられているが、例えば、図３に示す第１召合せ框７Ｃの押し縁係止部７ｅＣのように、第１中空部７ｃに突出していなくてもよい。押し縁係止部が設けられる位置は適宜設定されてよい。
また、上記の実施形態では、第１框芯材３１Ａには、押し縁係止部７ｅの第３板部７６３と第２板部７６２との接続部分に沿った屈曲部３２が形成されているが、第１框芯材３１Ａの第１片３１１と第２片３１２との接続部分および第１片３１１と第３片３１３との接続部分以外の屈曲部が形成されていなくてもよい。
【００４２】
また、上記の実施形態では、第２框芯材３１Ｂは筒状に形成されているが、例えば、図３に示す第２框芯材３１Ｄのように、右側に開口するＣ字形状に形成されていてもよい。
また、上記の実施形態では、受け金具固定具９５は、裏板などを用いずに第２框芯材３１Ｂに固定されるように構成されているが、裏板などを用いて第２框芯材３１Ｂに固定されてもよい、受け金具固定具９５の第２框芯材３１Ｂへの固定は適宜設定されてよい。
【符号の説明】
【００４３】
１  内障子
２  外障子
３  框（第１框、第２框）
４  ガラス（第１面材、第２面材）
７  召合せ框
７Ａ，７Ｃ  第１召合せ框
７Ｂ  第２召合せ框
７ｃ  第１中空部
７ｅ  押し縁係止部
７ｆ  第２中空部
７Ａ  第１召合せ框
７Ｂ  第２召合せ框
１０  引き違いサッシ
３１Ａ  第１框芯材
３１Ｂ  第２框芯材
３２  屈曲部
７１  第１室外側板部
７１ａ  室内側の面（室外側面）
７４  室内側板部
７４ａ  室外側の面（第１室内側面、第２室内側面）
３１１  第１片
３１２  第２片
３１３  第３片
３１４  第４片
３１５  第５片
３１６  第６片
７６１  第１板部（第１面材対向部）
【図１】
2020041264.tif 000003
【図２】
2020041264.tif 000004
【図３】
2020041264.tif 000005